(57)【要約】【課題】  ＤＶＤ-ＨＤＤコンボ記録機においては、通常はＨＤＤに記録しておき、必要な分をＤＶＤにコピーするという使い方が一般的である。ただし、ＨＤＤにＤＶＤの容量以上のデータがある場合にＨＤＤからＤＶＤへコピーする場合、ＤＶＤの最大容量が分からないので最大容量の位置をＨＤＤ上の映像から検出する手間がかかっていた。【解決手段】  前記課題を解決するため、記録開始時に最大容量位置を算出し、記録中に最大容量の位置にＥＰを生成する。また、サムネールも自動的に生成することで記録後には最大容量位置がわかるサムネ−ル画面を表示することができる。また、最大容量が判別できる印をサムネールに付加したり、専用のプレイリストを生成することでユーザのコピーの手間を減らすことが実現できる。【選択図】  図１
2006344321.tif 000002
【特許請求の範囲】
【請求項１】
記録媒体の記録再生を制御する制御装置と、記録した情報を管理する情報管理装置とを備えた情報記録再生装置において、
第１の記録媒体と前記第１の記録媒体の容量よりも大きい容量の第２の記録媒体を用い、
前記情報管理装置は、前記第１の記録媒体の最大記録容量が認識できる情報を生成し、前記生成された情報を映像音声の管理情報に記録し、前記情報を元に画面表示を行うことを特徴とした情報記録再生装置。
【請求項２】
請求項１の前記情報生成は、前記第２の記録媒体に前記映像音声を記録している間に行なわれることを特徴とした情報記録再生装置。
【請求項３】
請求項１の前記第１の記録媒体が光ディスクであり、第２の記録媒体が磁気ディスク、もしくは半導体メモリであることを特徴とした情報記録再生装置。
【請求項４】
請求項１の前記情報管理装置は、媒体に必須な規格に準拠した情報を管理し、記録した映像の区切りを表す情報を生成し、その映像の内容がわかるようなサムネール画像を作成することを特徴とした情報記録再生装置。
【請求項５】
請求項１の前記第１の記録媒体の最大記録容量は、記録のビットレートに依存しており、前記第１の記録媒体の片面の容量であることを特徴とした情報記録再生装置。
【請求項６】
請求項１の前記第１の記録媒体の最大記録容量が認識できるような情報は、エントリーポイント、もしくはチャプタ-であることを特徴とした情報記録再生装置。
【請求項７】
請求項１の前記画面表示は、記録の開始が認識できるサムネール画面と、前記サムネール画面上に前記最大記録容量が認識できるようなサムネール画面とを持つことを特徴とした情報記録再生装置
【請求項８】
請求項１の前記画面表示は、記録の開始が認識できるサムネール画面と、前記サムネール画面上に前記最大記録容量が認識できるような印を付加したサムネール画面を持つことを特徴とした情報記録再生装置。
【請求項９】
請求項１の前記画面表示は、記録の開始が認識できるサムネール画面と、前記サムネール画面上に前記最大記録容量が認識できるようなサムネール画面とでのみ構成されたプレイリストを自動、もしくはマニュアルで生成することを特徴とした情報記録再生装置。
【請求項１０】
ＤＶＤとハードディスクの２つの記録媒体を用い、記録した情報を管理する情報管理部と、システム制御用ＣＰＵと、ドライブ制御用コントローラを備えたビデオカメラにおいて、
ＨＤＤに記録中、ＤＶＤ片面に記録できる最大時間の位置にエントリーポイント、もしくはチャプタを生成し、記録後は、そのエントリーポイント、もしくはチャプタがある位置のサムネール表示を行い、前記生成されたサムネールだけを表示するプレイリストを自動、もしくはマニュアルで生成することが可能なビデオカメラ装置。
【請求項１１】
ＤＶＤとハードディスクの２つの記録媒体を用い、記録した情報を管理する情報管理部と、システム制御用ＣＰＵと、ドライブ制御用コントローラを備えたビデオレコーダにおいて、
ＨＤＤに記録中、ＤＶＤ片面に記録できる最大時間の位置にエントリーポイント、もしくはチャプタを生成し、記録後は、そのエントリーポイント、もしくはチャプタがある位置のサムネール表示を行い、前記生成されたサムネールだけを表示するプレイリストを自動、もしくはマニュアルで生成することが可能なレコーダ装置。
【発明の詳細な説明】
【技術分野】
【０００１】
本発明は、２つ以上の記録媒体を用いた記録再生装置に関するものである。
【背景技術】
【０００２】
従来、「１台の装置内でタイトル単位とこれより小さいチャプター単位での編集を容易に行なうことができ機能を得る」（特許文献１の要約の課題）ため、「チャプター単位、タイトル単位での編集を混在して行なうことができるように、エントリーポイントｂ1−ｂ１０の中から、編集時に用いるエントリーポイントとして、チャプター単位のエントリーポイントCP-ｂ１、CP-ｂ３と、タイトル単位のエントリーポイントPG-ｂ５を取り扱うようにしている」（特許文献１の解決手段）ことの記載が特許文献１にある。
【０００３】
【特許文献１】特開２００２−２７９７６５号公報
【発明の開示】
【発明が解決しようとする課題】
【０００４】
昨今、ビデオカメラの記録媒体としてＤＶＤなどのディスクメディアが登場してきており上書きの心配がないことや記録映像音声の再生、検索の容易さから、記録媒体はテープからディスクへと移行してきている。ところで、ＤＶＤの場合、規格で決まった容量しか入らないという問題がある。レコーダで使用されるのは１２ｃｍだが、ビデオカメラでは８ｃｍＤＶＤが使用される。８ｃｍの場合の片面の容量は１．４ＧＢである。映像音声のビットレートを３Ｍｂｐｓ程度にしても１時間程度しか撮影できない。実際には画質の面から６Ｍｂｐｓ程度で記録することが多いので、この場合だと３０分程度となってしまう。さらに高画質で記録する場合には記録時間が少なくなることは言うまでもない。
【０００５】
そこで、モバイル用のハードディスク（以降、ＨＤＤと表記）をＤＶＤカメラに搭載して、通常時はＨＤＤで記録を行い、機器の外に持ち出す場合にはＤＶＤへ記録するという方法も考えられる。こうすることで長時間撮影を行なう場合には、ＨＤＤをメインで使用し必要な時にＤＶＤへコピーするという使用方法を提供することができる。
【０００６】
ＨＤＤからＤＶＤへ映像データをコピーする場合は、ＨＤＤ上の映像からＤＶＤに記録できる最大時間の位置を映像の中から検索しなければならない。つまり、ＨＤＤ上にあるどの映像をコピーするか、またはどこからどこまでをコピーするかを調査しなければならない。これはユーザにとっては手間がかかる処理である。例えば、約６Ｍｂｐｓで記録した場合、カメラで使用される８ｃｍのＤＶＤには片面３０分程度記録できるが、ＨＤＤ上で１時間１５分の映像が存在した場合、３０分の位置と１時間の位置を映像を見ながら検索するか、または、時間指定などで時間を指定して目的の映像を検索する必要がある。通常カメラは、バッテリを用いている関係上、余計な処理をできるだけ避けることが望まれる。最悪の場合コピー中に電源が落ちてしまってデータが破壊される可能性もある。
【０００７】
映像の検索のサポートという意味では、ビデオフォーマットにおいてはチャプター、またビデオレコーディングフォーマットにおいてはエントリーポイントとが規定されている。ひとつの意味のある記録単位毎にチャプター（ビデオフォーマットの場合）やエントリーポイント（ビデオレコーディングの場合）を作成し、管理情報に追加することが一般的である。また、特許文献１にもあるように、プレイリスト編集のひとつの単位としてチャプターを使用する例もある。一般的にカメラでは、記録（撮影）毎にチャプターやエントリーポイントを生成している。また、ビデオレコーディングフォーマットでは、実際の映像には手を加えずに記録した映像の順番を変更したプレイリストを作成することができる。
【０００８】
上記のように、ＨＤＤからＤＶＤへコピーする時には、できるだけ手間をかけず時間を短くすることが求められる。もし、ＨＤＤへの記録が終了した時点ですでにコピーする映像の前後にチャプターやエントリポイントが存在していれば、映像を検索する手間を省くことができる。
【０００９】
チャプターやエントリポイントを付加するためには、最大容量の位置を算出する必要があるが、これは記録レートと容量から算出することが可能である。また、前記作成されたチャプターやエントリポイントのプレイリストを自動で作成しておけば、そのプレイリストのナビゲーション画面を参照することで、さらにユーザの使い勝手は向上される。
【００１０】
本発明では、上記説明したユーザの使い勝手の向上の為、例えば、ＨＤＤ記録中にコピーする映像のチャプターを作成しておくことでユーザに手間をかけることなくコピーが行なえ、同時にコピーをサポートするプレイリストを作成する装置を提供する。
【課題を解決するための手段】
【００１１】
上記装置を実現する為に、
記録媒体の記録再生を制御する制御装置と、記録した情報を管理する情報管理装置とを備えた情報記録再生装置において、第１の記録媒体と前記第１の記録媒体の容量よりも大きい容量の第２の記録媒体を用い、前記情報管理装置は、前記第１の記録媒体の最大記録容量が認識できる情報を生成し、前記生成された情報を映像音声の管理情報に記録し、前記情報を元に画面表示を行う情報記録再生装置を提供する。
【発明の効果】
【００１２】
本発明により、使い勝手の向上した情報記録再生装置を提供することができる。
【発明を実施するための最良の形態】
【００１３】
上記の発明を実現する為の２つの実施例について説明する。
【実施例１】
【００１４】
本発明の実施例１を図１から図４を用いて説明する。
図１は、本実施例を実行する為の構成図である。例としてＤＶＤビデオカメラに内蔵のＨＤＤを搭載した場合で説明する。ＤＶＤは、特に種類は限定する必要はない。ＲＡＭ、±ＲＷ、±Ｒ、もしくはＢＤ（ＢｌｕｅＬａｙＤｉｓｃ）でも構わない。実施例では、ＲＡＭを想定する。１０１は、ＣＣＤやマイクなどの映像音声入力部である。１０２は、カメラ全体を制御するシステム制御部である。１０３は、入力部１０１から取り込まれた映像、音声の圧縮を行い、それぞれを多重化してプログラムストリームを生成する。１０４は、媒体に合った規格に準拠した情報を生成する情報管理部である。情報管理部１０４で生成された情報は１０３に提供される。１０６は、ＤＶＤであり、１０７は、ＨＤＤである。１０５は、ＤＶＤ１０６とＨＤＤ１０７へのアクセスを制御する制御部である。１０８は、映像を表示する為の表示部であり、１０９は、ユーザーがビデオカメラに処理を促す為のボタンなどの操作部である。図示していないが、映像を再生する為のブロックや音声の出力を行なうスピーカやＤ／Ａコンバータなど一般的なビデオカメラの機能は搭載しているものとする。
【００１５】
図２は、ＤＶＤとＨＤＤの容量のイメージを示した図である。２００はＤＶＤであり、２０１はＤＶＤの最大容量範囲を示し、２１０はＨＤＤであり、２１１は、ＨＤＤの最大容量を示す。ＤＶＤにしろ、ＢＤにしろその容量は一般的にはＨＤＤの容量よりも少ない。ここでは、８ｃｍＤＶＤを想定するので最大容量は、１．４６ＧＢであるが、実際に映像音声の記録で利用できる容量はもっと少ない。ここでは便宜上１．４ＧＢで統一する。図３は、ＨＤＤに映像音声データ（以降、コンテンツと呼ぶ）を書き込んだ状態を示す図である。３００はＨＤＤを示し、３０１は、ＨＤＤに記録された容量の範囲を示す。３０２は、記録開始最初のエントリーポイントである。３１０は、ナビゲーション画面であり、記録されたコンテンツを表示する画面である。３１１は、プログラムの名称であり、３１２は、コンテンツのサムネール画面である。３１３は、撮影時間の情報や媒体の情報などを表示する表示部である。図４は、本実施例を施した記録した状態を示す図である。４０１と４０２は、ＤＶＤの最大容量範囲である。４０３と４０４は、４０１と４０２それぞれの位置にある。エントリーポイント（以降、ＥＰと呼ぶ。またＲの場合にはチャプタとなる）である。４１３と４１４は、それぞれの位置のサムネール画面である。３ではじまる他の番号については、図３と同様のものである。
【００１６】
最初に、通常の記録の処理について説明する。
ユーザが、操作部１０９から記録の指示を行なうと、システム制御部１０２が入力部１０１から映像,音声の取り込みをはじめ、それら信号の記録を開始する。取り込まれた映像音声信号は、ＡＶストリーム生成部１０３で、圧縮が行なわれエレメンタリストリームに変換される。さらにオーディオとビデオのエレメンタリ-ストリームは多重化されプログラムストリームとなる。たとえば、記録媒体がＢＤならば、トランスポートストリームとなる。いづれにしても記録媒体の規格に準拠した構成のストリームが生成されるとする。記録開始時には、図示していないが、サムネール生成部が記録開始後の先頭の画像からサムネールを生成する。このサムネールの情報は、別途ファイル化してＤＶＤで管理しておく。と同時に情報管理部がＥＰを映像音声の管理情報に追加する。ここでいう管理情報とは、ＶｉｄｅｏＲｅｃｏｒｄｉｎｇ規格のＶＲ＿ＭＡＮＧＲ．ＩＦＯのことである。実際の制御では、ＶＲ＿ＭＡＮＧＲ．ＩＦＯは、ディスクをカメラにセットした時に、ＩＦＯ内のデータは内部のワークラムに展開されており、記録中はワークラム上のデータが変更される。実際のファイルにデータを書き戻すのは、ディスクをカメラから取り出す時などである。また、映像音声データのストリームは、図示していないバッファなどを介してＤＶＤ、もしくはＨＤＤに記録される。
【００１７】
一般的に上位のアプリケーションから見て、ＤＶＤがＣドライブ、ＨＤＤがＤドライブと見えるようになっており、ＤＶＤにアクセスする時には、ディスクの認識の時点でＣドライブを指定することになる。ＨＤＤの場合にはＤドライブの指定が必要。記録の際に生成されたＥＰでのサムネールは、操作部１０９によりナビゲーションの表示の指示があったときにはディスク上からサムネールの管理ファイルが読み出され、表示に必要な変換を行った後ＬＣＤなどの表示部１０８に表示される。図３は、ＨＤＤに１シーンを記録して状態を示しているが、３０２が記録開始時に生成されたＥＰであり、３１２がこのＥＰに対応したサムネールを表示するナビゲーション画面である。ここでもし、ビットレート６．３７Ｍｂｐｓで記録されていたとすると、ＲＡＭの最大記録時間は、約３０分（１．４ＧＢ＊８／６．３７Ｍｂｐｓ）となる。しかし、３０１が１時間３０分の長さだとすると、これをＤＶＤにコピーする時には、３０分の位置を探す必要がある。
【００１８】
そこで、上記の位置を検出する為に、事前に図４(a)にあるように記録中に３０分ごとの位置（図４の４０３と４０４であるが）を算出しておいてその位置のＥＰを管理情報に付加するようにする。また、同時にサムネールを生成しておく。こうすることで記録終了後に、ナビゲーション画面を参照すれば、どこの位置からコピーできるかが一目でわかりコピーの際のユーザの手間を少なくできる。  ３０分ごとの位置を検出するのは、ビットレートから算出できる。例えば、映像音声のビットレートを６．３７Ｍｂｐｓで記録する場合、８ｃｍディスクの片面最大容量は１．４ＧＢであるから、１．４ＧＢ／６．３７Ｍｂｐｓで３０分の記録が可能であることが分かる。記録開始時に上記の算出により記録を開始して３０分たったところでＥＰと映像のサムネールを生成すればよい事がわかる。また、１時間以上記録する場合には、１時間、１時間３０分、２時間とそれぞれの時間でＥＰとサムネールを生成するように制御すればよい。
【００１９】
図４（ｂ）は、図４（ａ）によって生成されたナビゲーション画面であるが、先頭の３１２のサムネールの他に、４０３、４０４の位置に対応するサムネール４１３とサムネール４１４が表示されている。ＨＤＤからＤＶＤへコピーする場合は、サムネールを指示してコピーすることが一般的である。３１２と４１３のサムネールは、３０分のサイズのコンテンツであることがわかるので１枚目のＤＶＤにコピーする場合にはサムネール３１２を指示してコピーし、その後２枚目のＤＶＤへコピーしたい場合は、サムネール４１３を指示することでＤＶＤにコピーができる。３枚目には、残りのサムネール４１４を指示すればよいことは言うまでもない。
【００２０】
上記説明したように、事前に最大容量の位置を検出、その位置にＥＰとサムネールを生成することで、ＨＤＤ上の映像の中からＤＶＤ最大容量分のコピーできる場所を検索しなくても容易にコピーすることが可能となる。
【実施例２】
【００２１】
次に、第２の実施例を図４と図５を用いて説明する。
図４は、ＤＶＤ最大容量（３０分）以上の１時間３０分をＨＤＤに記録した場合を示したが、カメラ撮影ではもっと短い間隔（２，３分）で記録する場合もある。  図５は、ＤＶＤの最大容量のサイズよりも少ない単位で記録をした場合の図である。５００は、ＨＤＤに記録されている最大容量を示す。５０１と５０２は、図４の４０１と４０２と同じである。５０３と５０４と５０５は、図４の３０２と４０３と４０４であることを示す。５０６から５１１は、記録毎のエントリポイントを示す。５１２は、ＨＤＤの容量を表す。５２０は、通常記録した場合のナビゲーション画面であり、５２１は、プログラム名を表示する部分である。５２２は、５０３から５１１までのＥＰに対応したサムネール画面である。５２４と５２５は、５０４と５０５の位置に対応していることがわかるようなマークである。他と区別がつけばどんな印でも構わない。５３０は、プレイリストのナビゲーション画面である。５３１は、プレイリストであることがわかる表示である。５３２は、コピー場所の位置がわかるようなサムネール画面である。５３３は、５２３と同じである。
【００２２】
図５は、３０分以内に記録が何回か行われた場合の図であるが、５０１と５０２が３０分のサイズの位置。５０３と５０４，５０５は、図４の３０２と４０３、４０４と同じである。まず、通常時の記録について説明する。５０６から５１１が記録停止と記録開始を行った場合に生成されるＥＰである。記録開始時のＥＰは、５０３であり、２番目に記録したのが５０５であり、３番目が５０７であり、４番目に記録したのが５０８であり（５０４ではない）、５番目に記録したのが５０９で、６番目に記録したのが５１０で、７番目に記録したのが５１１である（５０５ではない）。
【００２３】
通常の記録を行うと図５（ｂ）の５２２のサムネールのうち、（１）、（２）、（３）、（５）、（６）、（７）、（９）が生成される。しかし、実施例１を実施すると（４）と（８）が追加される。（４）は、５０７の記録中に生成された５０４の位置のＥＰでありサムネールである。また、（８）は、５１０を記録中に生成された５０５の位置のＥＰでありサムネールである。３０分以内の記録がされた場合、通常記録単位でのサムネールの表示があるため、（４）と（８）が最大容量位置のサムネールかどうかの判断が出来ない。そこでそれがわかるようにマーク５２４とマーク５２５をそれぞれ（４）と（８）のサムネール上に表示する。こうすることで、どこが最大容量のサムネールなのかが認識でき、コピーの手間を減らせることができる。また、図５（ｃ）のように最大位置だけを表示するプレイリストを作成しても良い。この場合は、マークなどはいらないので見た目がすっきりする。コピーの際にはこのプレイリストを呼び出してコピーすることが可能となる。
【００２４】
上記説明したように、記録開始と停止がＤＶＤ容量以下で何度も行われた場合でもサムネール上にマークをつける、もしくは専用のプレイリストを生成することで、ＨＤＤ上の映像の中からＤＶＤ最大容量分のコピーできる場所を検索しなくても容易にコピーすることが可能となる。
【００２５】
これらの実施例により、ＤＶＤとＨＤＤを用いたビデオカメラにおいて、ＨＤＤからＤＶＤへコピーする時の手間を省くことが可能である。
【図面の簡単な説明】
【００２６】
【図１】本システムの構成図である。
【図２】ＤＶＤとＨＤＤの容量の違いを示した図である。
【図３】ＨＤＤへの記録した場合を説明した図である。
【図４】第１の実施例を説明した図である。
【図５】第２の実施例を説明した図である。
【符号の説明】
【００２７】
１０１・・・入力部
１０２・・・システム制御部
１０３・・・ＡＶストリーム生成部
１０４・・・情報管理部
１０５・・・ドライブ制御部
１０６・・・ＤＶＤ
１０７・・・ＨＤＤ
１０８・・・表示部
１０９・・・操作部
２００・・・ＤＶＤの容量
２０１・・・ＤＶＤの記録範囲
２１０・・・ＨＤＤの容量
２１１・・・ＨＤＤの記録範囲
３００・・・ＨＤＤの容量
３０１・・・ＨＤＤの記録範囲
３０２・・・先頭のＥＰ
３１０・・・ナビゲーション画面
３１１・・・タイトルバー
３１２・・・サムネール
３１３・・・情報表示バー
４０１、４０２・・・ＤＶＤ最大記録容量
４０３、４０４・・・ＤＶＤ最大記録容量を示すＥＰ
４１３、４１４・・・ＤＶＤ最大記録容量を示すサムネール
５００・・・ＨＤＤの記録範囲
５０１，５０２・・・ＤＶＤ最大記録容量
５０２・・・ＨＤＤの記録範囲
５０３・・・先頭のＥＰ
５０４，５０５・・・ＤＶＤ最大記録容量を示すＥＰ
５０６〜５１１・・・通常記録でのＥＰ
５１２・・・ＨＤＤの容量
５２０・・・ナビゲーション画面
５２１・・・タイトルバー
５２２・・・サムネール
５２３・・・情報表示バー
５２４，５２５・・・最大記録容量を示すマーク
５３０・・・ナビゲーション画面
５３１・・・タイトルバー（プレイリスト）
５３２・・・サムネール
５３３・・・情報表示バー
【図１】
2006344321.tif 000003
【図２】
2006344321.tif 000004
【図３】
2006344321.tif 000005
【図４】
2006344321.tif 000006
【図５】
2006344321.tif 000007